(57)【要約】      （修正有）【課題】重量の大きい音波発生器であっても作業性良く立管の端部に接続することができ、音波発生器を地上に置いて導波管を介して立管の端部に接続する場合にも埋設管探査の精度を悪化させない音波発生器を提供する。【解決手段】音波発生器１は、音響装置を囲む筐体１０を備え、筐体１０は、音響装置から発せられる音波を送出する音波送出口を備えた天板部１０Ａと音響装置の側方を囲む側面部１０Ｂと底面部１０Ｃを備え、天板部１０Ａには取っ手１５が設けられ、底面部１０Ｃには設置時に底面部１０Ｃを地面から離間させる脚枠１６が設けられ、脚枠１６は、底面部１０Ｃの外周に沿って延設される梁枠部１６Ｂを備える。【選択図】図２
0003182773.tif 000002
【実用新案登録請求の範囲】
【請求項１】
音響装置を囲む筐体を備え、
前記筐体は、前記音響装置から発せられる音波を送出する音波送出口を備えた天板部と前記音響装置の側方を囲む側面部と底面部を備え、
前記天板部には取っ手が設けられ、前記底面部には設置時に当該底面部を設置面から離間させる脚枠が設けられ、当該脚枠は、前記底面部の外周に沿って延設される梁枠部を備えることを特徴とする音響振動式埋設管探査システムにおける音波発生器。
【請求項２】
前記取っ手は、前記音波送出口を挟んだ両側に一対設けられていることを特徴とする請求項１に記載された音響振動式埋設管探査システムにおける音波発生器。
【請求項３】
前記底面部には、当該底面部から発せられる音波を吸収する吸音材が設けられていることを特徴とする請求項１又は２に記載された音響振動式埋設管探査システムにおける音波発生器。
【考案の詳細な説明】
【技術分野】
【０００１】
本考案は、音響振動式埋設管探査システムにおいて、埋設管の立管端部に接続する音波発生器に関するものである。
【背景技術】
【０００２】
音響振動式埋設管探査システムは、特徴のある音波を埋設管内に送り込み、埋設管から地上へ響く音波の強弱を地上で捉えて、埋設管の位置や状態を探査するものである。図１は、このシステムの概要を示した説明図である。埋設管Ｐから分岐して地上に引き出されている立管Ｐ１（メータ立管や水取立管など）の端部に音波発生器Ｊ１を接続し、音波発生器Ｊ１に発信器Ｊ２からの信号を入力することで音波を発生させ、立管Ｐ１を経由して埋設管Ｐ内に音波を送り込む。埋設管Ｐ内に送り込まれた音波は埋設管Ｐを振動させて地上に伝搬してくる。作業者は、振動センサＪ３を用いて埋設管Ｐから地上（ＧＬ）に響く音波を検知し、検知音をヘッドホンＪ４で直接聴くか或いは受信器Ｊ５の検知出力を確認するなどして、埋設管の位置や状態を探査する。
【０００３】
このような音響振動式埋設管探査システムを用いることで、埋設位置情報が不明な埋設管に対して非開削で容易に埋設位置を探査することが可能になる。また、埋設位置の探査だけでなく、局所的な検知出力の増減を確認することで、管継手の離脱箇所や管の破損部、或いは差し水・土砂混入などによる管閉塞部を探査することが可能になる（下記特許文献１参照）。
【先行技術文献】
【特許文献】
【０００４】
【特許文献１】特開２００９−２３６６９１号公報
【考案の概要】
【考案が解決しようとする課題】
【０００５】
前述した音響振動式埋設管探査システムにおける音波発生器は、鋼管や鋳鉄管を響かせるために比較的大出力の音響装置を備えている。このため、音波発生器自体の重量が大きくなり、立管の端部に音波発生器を接続する作業を円滑に行うことができない問題があった。
【０００６】
また、立管の端部に音波発生器を直接接続することができない場合には、音波発生器を地上に置いて導波管（ホース）を介して立管の端部に接続せざるを得ないが、音波発生器の底面を直接地面に設置すると、音波発生器の底面から発せられる音波が地面を伝搬して振動センサに検知されることがあり、これがノイズになって埋設管探査の精度が悪化する懸念があった。
【０００７】
本考案は、このような問題に対処することを課題の一例とするものである。すなわち、重量の大きい音波発生器であっても作業性良く立管の端部に接続することができるようにすること、音波発生器を地上に置いてホースを介して立管の端部に接続する場合にも埋設管探査の精度を悪化させないこと、等が本考案の目的である。
【課題を解決するための手段】
【０００８】
このような目的を達成するために、本考案による音響振動式埋設管探査システムにおける音波発生器は、以下の構成を少なくとも具備するものである。
音響装置を囲む筐体を備え、前記筐体は、前記音響装置から発せられる音波を送出する音波送出口を備えた天板部と前記音響装置の側方を囲む側面部と底面部を備え、前記天板部には取っ手が設けられ、前記底面部には設置時に当該底面部を設置面から離間させる脚枠が設けられ、当該脚枠は、前記底面部の外周に沿って延設される梁枠部を備えることを特徴とする音響振動式埋設管探査システムにおける音波発生器。
【考案の効果】
【０００９】
このような特徴を有する音波発生器によると、天板部に設けた取っ手と底面部に設けた脚枠の梁枠部とを持つことで、音波送出口を水平にした状態で筐体を保持することができ、立管の端部に音波送出口を簡易に接続することができる。また、音波発生器を地面等に設置する場合には、脚枠によって底面部が地面等の設置面から離間するので、底面部から発せられる音波が設置面に伝搬して音波検知のノイズになるのを防ぐことができる。
【図面の簡単な説明】
【００１０】
【図１】音響振動式埋設管探査システムの概要を示した説明図である。
【図２】本考案の一実施形態に係る音波発生器の外観構成を示した斜視図である。
【図３】図２におけるＸ−Ｘ断面図である。
【図４】本考案の一実施形態に係る音波発生器の側面図である。
【図５】本考案の一実施形態に係る音波発生器の接続状態を示した説明図である。
【図６】本考案の一実施形態に係る音波発生器の接続状態を示した説明図である。
【考案を実施するための形態】
【００１１】
以下、図面を参照しながら本考案の実施形態を説明する。図２は本考案の一実施形態に係る音波発生器の外観構成を示した斜視図、図３は図２におけるＸ−Ｘ断面図、図４は本考案の一実施形態に係る音波発生器の側面図である。音波発生器１は、内部に配置される音響装置２を囲む筐体１０を備えている。筐体１０は、天板部１０Ａ，側面部１０Ｂ，底面部１０Ｃを備えている。図示の例では、天板部１０Ａは円板状、側面部１０Ｂは円筒状、底面部１０Ｃは円板状であるが、これに限らず、天板部１０Ａ及び底面部１０Ｃを矩形板状にして、側面部１０Ｂを角筒状などにしてもよい。
【００１２】
天板部１０Ａは、その中央に音響装置２から発せられる音波を送出する音波送出口１１を備えている。音波送出口１１は、天板部１０Ａから突出する接続部１２に設けられる。また、天板部１０Ａには音響装置２に信号を送るための入力端子１３と筐体１０内をガスパージするためのパージバルブ部１４が設けられている。
【００１３】
そして、天板部１０Ａには取っ手１５が設けられており、底面部１０Ｃには脚枠１６が設けられている。図示の例では取っ手１５は音波送出口１１を挟んだ両側に一対設けられている。底面部１０Ｃに設けられる脚枠１６は、柱枠部１６Ａと梁枠部１６Ｂを備えており、梁枠部１６Ｂは底面部１０Ｃの外周に沿って延設されている。
【００１４】
このような構成を備える音波発生器１は、接続部１２を立管の端部に接続することで、音響装置２が発生した音波を音波送出口１１から送り出し、立管を介して埋設管内に送り込むことができる。音波発生器１と立管の端部を接続する作業を行う際には、作業者は、片方の手で取っ手１５を持ち他方の手で脚枠１６の梁枠部１６Ｂを持って音波発生器１を持ち上げる。梁枠部１６Ｂを取っ手として用いることで、音波送出口１１を水平に向ける姿勢を簡単に作ることができ、接続作業を簡易に行うことが可能になる。
【００１５】
そして、音波発生器１を設置面においてホースを介して接続部１２と立管端部を接続する場合には、底面部１０Ｃに設けた脚枠１６によって設置面から底面部１０Ｃを離間させることができる。これによって、底面部１０Ｃから放出される振動が設置面に伝わることを抑止することができ、ノイズによる探査精度の悪化を回避することができる。底面部１０Ｃに、図３に示すように吸音材１７を設け、この吸音材１７によって底面部１０Ｃから発せられる音波を吸収することで、更に探査精度の悪化を抑止することが可能になる。
【００１６】
図５及び図６は、音波発生器の接続状態を示した説明図である。音波発生器１については図１と同じ符号を付して重複説明を省略する。図５に示した例は、音波発生器１の接続部１２を立管Ｐ１の端部Ｐ１ａに直接接続した例である。これによると、音波送出口１１から出た音波は直接立管Ｐ１内に送り込まれ、立管Ｐ１を介して埋設管内に送り込まれる。図６に示した例は、音波発生器１を設置面に置き、ホースＰ２によって接続部１２と端部Ｐ１ａを接続した例である。これによると、音波送出口１１から出た音波はホースＰ２を経由して立管Ｐ１内に送り込まれ、立管Ｐ１を介して埋設管内に送り込まれる。
【００１７】
本発明の実施形態に係る音波発生器１を用いると、図５に示すように、直接音波発生器１を立管Ｐ１の端部Ｐ１ａに接続する場合には、取っ手１５と脚部１６を持って接続作業を簡易に行うことができ、図６に示すように、音波発生器１を設置面に置く場合には、ノイズとなる音波が設置面に伝搬するのを抑止することができるので、精度を悪化させること無く埋設管の探査を行うことが可能になる。
【００１８】
また、図１に示した音波発生器１の取っ手１５は、比較的大きく湾曲した形状を備えている。このように大きな湾曲形状の取っ手１５を採用することで、取っ手１５を端部Ｐ１ａ付近に設けた被引っかけ部に引っかけて音波発生器１を保持することができる。また、大きな湾曲形状の取っ手１５を片手で持ってもバランス良く音波発生器１を保持することができる。
【符号の説明】
【００１９】
１：音波発生器，２：音響装置，
１０：筐体，１０Ａ：天板部，１０Ｂ：側面部，１０Ｃ：底面部，
１１：音波送出口，１２：接続部，１３：入力端子，１４：パージバルブ部，
１５：取っ手，１６：脚部，１６Ａ：柱枠部，１６Ｂ：梁枠部
【図１】
0003182773.tif 000003
【図２】
0003182773.tif 000004
【図３】
0003182773.tif 000005
【図４】
0003182773.tif 000006
【図５】
0003182773.tif 000007
【図６】
0003182773.tif 000008